(57)【特許請求の範囲】
【請求項１】
複数の発光要素と、
前記複数の発光要素と個別に電気的に接続され、前記複数の発光要素を直列接続して給電する電源回路部とを備え、
前記複数の発光要素の少なくとも１つは、ＬＥＤ素子と、前記ＬＥＤ素子よりも相関色温度が低い保安灯用ＬＥＤ素子とが実装されたモジュールであり、
前記電源回路部は、前記複数の発光要素と個別に電気的に接続するためのコネクタを備え、
前記コネクタは、
前記ＬＥＤ素子が電気的に接続される端子同士が直列接続され、
前記保安灯用ＬＥＤ素子が電気的に接続される端子を有する、照明器具。
【発明の詳細な説明】
【技術分野】
【０００１】
本発明は、照明器具に関する。
【背景技術】
【０００２】
従来、光源としてＬＥＤ素子を備えた照明器具が知られている（例えば、特許文献１参照）。
【０００３】
特許文献１には、天井面に設置される照明器具（シーリングライト）が開示されている。特許文献１に開示される照明器具は、器具本体と、器具本体に取り付けられる複数の基板と、基板上に実装された複数の発光素子と、配線器具を介して交流電源を受けて直流出力を生成し出力線を介して特定の基板に直流出力を供給する電源供給接続部と、複数の隣接する基板を電気的に接続する配線接続部材とを備えている。
【先行技術文献】
【特許文献】
【０００４】
【特許文献１】特開２０１３−５８５０３号公報
【発明の概要】
【発明が解決しようとする課題】
【０００５】
しかしながら、特許文献１に開示された照明器具においては、電源供給接続部に接続する端子及び基板同士を接続する端子を備えた基板と、基板同士を接続する端子を２つ備えた基板とを用いる必要がある。そのため、２種類の基板を作製することによるコスト増加や管理が複雑になるといった問題がある。また、組み立て作業においては、２種類の基板の配置や基板の接続順が決まっている。そのため、組み立て作業者は、基板を誤って配置したり、基板の接続順を間違ったりすることがないように注意しなければならない。その結果、組み立て時間を短縮することが難しく、作業効率が低下する。
【０００６】
また、通常複数の基板を接続する場合、すなわち複数の発光モジュール（発光要素）を電気的に接続する場合、直列接続又は並列接続の何れかが用いられる。ここで、発光モジュールが断線故障した場合を想定すると、直列接続とした場合は、１つの発光モジュールが断線故障すると全ての発光モジュールに電流が流れなくなる。一方、並列接続とした場合は、１つの発光モジュールが断線故障しても他の発光モジュールには電流が流れて過電流が生じるので、過電流保護回路を設けるなどの対策が必要である。よって、並列接続は直列接続より回路の構成が複雑になり、電源回路部の大型化及びコスト増加を招く。
【０００７】
そこで、本発明は、上記課題に鑑みてなされたものであり、組み立て作業において発光要素の接続順を気にする必要がなく、電源回路部の構成が簡単な照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する照明器具は、
複数の発光要素と、
前記複数の発光要素と個別に電気的に接続され、前記複数の発光要素を直列接続して給電する電源回路部とを備え、
前記複数の発光要素の少なくとも１つは、ＬＥＤ素子と、前記ＬＥＤ素子よりも相関色温度が低い保安灯用ＬＥＤ素子とが実装されたモジュールであり、
前記電源回路部は、前記複数の発光要素と個別に電気的に接続するためのコネクタを備え、
前記コネクタは、
前記ＬＥＤ素子が電気的に接続される端子同士が直列接続され、
前記保安灯用ＬＥＤ素子が電気的に接続される端子を有する、ものである。
【発明の効果】
【００１２】
本発明の照明器具によれば、組み立て作業において発光要素の接続順を気にする必要がなく、電源回路部の構成を簡単にすることができる。
【図面の簡単な説明】
【００１３】
【図１】本発明の一実施形態に係る照明器具を示す側面図。
【図２】照明器具の構成を示す分解斜視図。
【図３】電源部及び接続部が取り付けられた器具本体を示す斜視図。
【図４】配線を配線保持部材で保持した電源カバーを示す上面図。
【図５】照明器具（透光性カバー及び保護カバーを取り外した状態）の照射面側を示す平面図。
【図６】ＬＥＤ光源モジュールを示す平面図。
【図７】電源部を示す斜視図。
【図８】器具本体を示す平面図。
【図９】接続部を示す斜視図。
【図１０】図５におけるＢ−Ｂ線断面図。
【図１１】保護カバーを示す斜視図。
【図１２】電源回路部と光源部との接続を説明する回路図。
【発明を実施するための形態】
【００１４】
本発明の実施形態に係る照明器具１１について、図１から図１２を用いて説明する。本実施形態に係る照明器具１１は、複数のＬＥＤ素子４２を光源とする照明器具である。図１に示すように、照明器具１１は、天井等の器具取付面（図示せず）に直付けされるシーリングライトである。以下の説明では、照明器具１１の光を照射する側を照明器具１１の照射面側とし、照明器具１１における天井等の器具取付面に対向する側を照明器具１１の取付面側（取付状態では天井側）として説明する。また、照明器具１１の上下方向は、照明器具１１が天井等の器具取付面に設置された状態における上下方向（図１、図２における上下方向）として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１５】
照明器具１１は、主に器具本体２１、電源部３１、光源部４１、透光性カバー５１、電源カバー６１、接続部７１、受信部８１、及び保護カバー９１を有している。照明器具１１は、平面視における形状が円形である。
【００１６】
器具本体２１は、照明器具１１の本体を構成するものである。器具本体２１は、いわゆるベースやシャーシと呼ばれる部材である。器具本体２１は、平面視における外形輪郭形状が円形である。器具本体２１は、照射面側に電源部３１、電源カバー６１、保護カバー９１及び透光性カバー５１等を保持するものである。器具本体２１は、収容部２３、及び該収容部２３の周囲に形成されるセード取付部２８を有し、単一の部材として一体的に形成されている。器具本体２１は、電源部３１、接続部７１、電源カバー６１、保護カバー９１及び透光性カバー５１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具本体２１は、耐久性、強度及び放熱性が高い材料であれば、先述した金属材料に限らず、その他の合金材料や樹脂等の他の材料で形成することができる。
なお、本実施形態においては、収容部２３及びセード取付部２８を器具本体２１として一体的に形成しているが、特に限定するものではなく、上記各構成部材を各々組み付けて構成してもよい。
【００１７】
収容部２３は、取付面側に突出する凸部であり、有底容器状の部分である。収容部２３は、器具本体２１の径方向中央部に設けられ、内部に電源部３１及び接続部７１の一端側が収容され、電源部３１及び接続部７１が取り付けられる部分である。接続部７１は、引掛シーリングアダプタ等の配線部品が取り付けられ、該配線部品を介して照明器具１１を天井等の器具取付面側に配置された配線器具と電気的に接続される。収容部２３は、平面視において外形形状が円形で断面視において上方に向けて凹状であり、取付面側に突出して形成されている。また、収容部２３の内部には、アダプタ等の配線部品を取り付けるための接続部７１が取り付けられる。
【００１８】
収容部２３は、取付孔２４、周縁部２５、天板部２６、周壁部２７を有している。
【００１９】
取付孔２４は、照明器具１１を天井に取り付ける際、引掛シーリングアダプタ等の配線部品（図示せず）を挿通する円形の開口部分である。取付孔２４は、収容部２３の径方向中心となる位置に設けられている。
【００２０】
周縁部２５は、取付孔２４の周縁部分であり、接続部７１の一端（上端）が取り付けられる部分である。周縁部２５は、円環部２５ａ、該円環部２５ａの周囲に形成され、下方に向けて突出する円環状の突状部２５ｂを有している。円環部２５ａは、接続部７１が有する鍔部７３が取り付けられる部分である。円環部２５ａには、接続部７１が有する爪部７４が嵌合するための貫通孔２５ｃが設けられている。本実施形態では、周縁部２５の周方向に沿って等間隔に配置された複数（本実施形態では、３つ）の貫通孔２５ｃを設けた。円環部２５ａには、接続部７１をネジ部材などの固定部材２２により固定するための第１ネジ固定部２５ｄが設けられている。接続部７１が有する爪部７４が円環部２５ａに設けられた貫通孔２５ｃに嵌合することで該接続部７１が周縁部２５の所定の位置に位置決めされるとともに、接続部７１の鍔部７３が第１ネジ固定部２５ｄに固定部材２２により固定される。すなわち、接続部７１は、爪部７４を貫通孔２５ｃに嵌合することで仮止めされ、１つの固定部材２２により周縁部２５が有する第１ネジ固定部２５ｄに固定される。突状部２５ｂは、平面視おいて円環状であり、内径が接続部７１の鍔部７３の外形よりもやや大きく、接続部７１を突状部２５ｂの内側に配置することで、接続部７１を位置決めすることができる。
【００２１】
天板部２６は、周縁部２５の周囲に円環状に形成された平坦部分である。天板部２６には、平面視において所定の領域に電源部３１が配置される。天板部２６の所定の位置には、図８に示すように、電源ケース３５が有する爪部２０（図７参照）が嵌合する複数（本実施形態では、２つ）の貫通孔２６ａが設けられている。天板部２６には、電源部３１の一端をネジ部材などの固定部材２２により固定するための第２ネジ固定部２６ｂが設けられている。電源ケース３５は、該電源ケース３５が有する爪部２０が天板部２６に設けられた貫通孔２６ａに嵌合することで該電源ケース３５が天板部２６の所定の位置に位置決めされるとともに、電源ケース３５の一端が第２ネジ固定部２６ｂに固定部材２２により固定される。すなわち、電源ケース３５は、爪部２０を貫通孔２６ａに嵌合することで仮止めされ、１つの固定部材２２により天板部２６が有する第２ネジ固定部２６ｂに固定される。
また、天板部２６には、上記貫通孔２６ａを塞ぐように天板部２６の取付面側に緩衝剤３０が配置される。緩衝材３０は照明器具１１を天井等に取り付けた状態で照明器具１１のガタツキを防止するためのものである。これにより、貫通孔２６ａから照明器具１１内に虫等が侵入することも防ぐことができる。
【００２２】
天板部２６には、凹部２６ｃが設けられている。凹部２６ｃは、収容部２３の天板部２６において、天板部２６の径方向内側近傍から径方向外側近傍に亘って放射状に複数延設される部分である。凹部２６ｃは、取付面側に突出して形成されている。凹部２６ｃは、天板部２６の厚さ寸法よりも短い寸法で浅く形成されている。凹部２６ｃは、例えば、器具本体２１を絞り加工で成形する場合に、素材が逃げる部分となり、成型品である器具本体２１の歪みを抑える歪み取り用の部位として機能する。そのため器具本体２１にしわや波打つような起伏等が発生することも防止できる。また、凹部２６ｃは、器具本体２１を補強するための補強用リブとして機能する。また、凹部２６ｃを収容部２３における天板部２６の内周側から外周側へと放射状に複数（本実施形態では３本）延設することで、器具本体２１の剛性を向上することができる。
【００２３】
収容部２３の平面視において、収容部２３の中心を通るとともに、収容部２３に配置された電源部３１と接続部７１を通る基準線Ａ（図３における一点鎖線）に対して、上述した第１ネジ固定部２５ｄ及び第２ネジ固定部２６ｂは、一方側に偏った位置（偏在した位置）に設けられている。例えば、照明器具１１を組み立てる作業者が、電源部３１を挟んで接続部７１と向き合った場合（作業者が図３に示す作業者側にいる場合）に、第１ネジ固定部２５ｄと第２ネジ固定部２６ｂは作業者の利き手側（例えば、右手側）に配置されることになる。これにより、作業者は、収容部２３に電源部３１及び接続部７１を配置後、それぞれを固定部材２２・２２により収容部２３に固定する際に、取付工具の移動を最小限とすることができる。また、利き手側に第１ネジ固定部２５ｄと第２ネジ固定部２６ｂが配置されていれば、取付工具を持つ手側に第１ネジ固定部２５ｄと第２ネジ固定部２６ｂがあるため、作業者は固定作業がし易い。
【００２４】
周壁部２７は、天板部２６の外周縁から下方に行くに従って拡径されるテーパ状の部分である。
【００２５】
セード取付部２８は、収容部２３の周囲に形成されるとともに器具本体２１の周縁部分である。セード取付部２８には、透光性カバー５１を保持するための複数（本実施形態では、３つ）のセード保持部２９が設けられている。複数のセード保持部２９は、セード取付部２８に略均等間隔に配置される。
【００２６】
本実施形態の器具本体２１は、全体的にシンメトリックな略円形状にプレス加工により作製されている。このようにプレス加工で作製することで、板金に対して均等に圧力がかかりやすく、成形精度を高めることができる。
【００２７】
電源部３１は、電源回路部３２と、該電源回路部３２を収容する電源ケース３５とを有している。電源部３１の一端側は、収容部２３内に収容されて固定され、他端側は電源カバー６１に収容される。
【００２８】
電源回路部３２は、光源部４１が有するＬＥＤ素子４２（図６参照）に給電を行って、ＬＥＤ素子４２を点灯させるための電源回路である。電源回路部３２は、所定幅を有する略円弧形状に加工されたプリント配線基板である電源基板３３上に複数の電子部品が実装された電源回路である。電源回路部３２は、外部商用電源から供給される交流電流を所定の直流電流に変換し、変換後の電流を基板４３に実装された複数のＬＥＤ素子４２に供給するためのものである。電源回路部３２は、配線を介してコネクタ３４が設けられている。コネクタ３４は、接続部７１の所定位置に配置される。照明器具１１を天井等の器具取付面に取り付ける際、コネクタ３４を配線器具側のコネクタ（図示せず）に接続することで、電源回路部３２は照明器具用の天井配線器具を介して外部商用電源と電気的に接続される。電源回路部３２と光源部４１は配線５０によって電気的に接続されている。
【００２９】
配線５０は、電源回路部３２に電気的に接続され、各々のＬＥＤ光源モジュール４４に給電するためのものである。配線５０は、電源回路部３２から各ＬＥＤ光源モジュール４４の接続端子４９に接続するのに必要な本数・長さを有しており、電源カバー６１に設けられた配線保持部材６９（図４参照）によってまとめられて保持されている。配線５０は、各々のＬＥＤ光源モジュール４４に対応する配線を引き出すための複数の挿通孔６３ａを介して、各々のＬＥＤ光源モジュール４４と接続される。なお、配線保持部材６９としては、例えば、結束バンド等が挙げられる。
【００３０】
電源ケース３５は、樹脂素材で形成された一端が開放された有底容器状の部材である。電源ケース３５は、電気的絶縁性を有する部材である。電源ケース３５には、略円弧形状の電源回路部３２を収容して配置可能な電源回路配置部３６と、略長方形状の受信部用基板８３を収容して配置可能な受信部配置部３７が設けられている。電源回路配置部３６は、該電源回路配置部３６の周縁部に複数(本実施形態では、４つ)の係止部３８（図７参照）を有する。該係止部３８は、電源回路部３２を電源回路配置部３６に収容した際に、該電源回路部３２の周縁部を係止する。電源ケース３５の取付面側（電源回路部３２の配置側とは反対の面）には、図７に示すように、側方の突出する複数（本実施形態では、２つ）の爪部２０が設けられている。爪部２０は、器具本体２１の収容部２３に設けられた貫通孔２６ａに嵌合する部分である。電源ケース３５は、該電源ケース３５が有する爪部２０が天板部２６に設けられた貫通孔２６ａに嵌合することで該電源ケース３５が天板部２６の所定の位置に位置決めされるとともに、電源ケース３５の一端が第２ネジ固定部２６ｂに固定部材２２により固定される。具体的には、電源ケース３５と電源回路部３２の電源基板３３とが、１つの固定部材２２により収容部２３の天板部２６が有する第２ネジ固定部に共締めされる。すなわち、電源ケース３５は、爪部２０を貫通孔２６ａに嵌合することで仮止めされ、１つの固定部材２２により天板部２６が有する第２ネジ固定部２６ｂに固定される。
【００３１】
受信部配置部３７は、電源回路配置部３６に隣接して設けられ、受信部８１を取り付ける部分である。受信部配置部３７は、該受信部配置部３７の周縁部に複数（本実施形態では、２つ）の係止部３９を有する。該係止部３９は、受信部用基板８３を受信部配置部３７に収容した際に、該受信部用基板８３の周縁部を係止する。受信部配置部３７は、電源カバー６１の受光窓６３ｂに対応する位置に配置されている。このように電源ケース３５を構成することで、電源回路部３２（電源基板３３）と受信部用基板８３とを一体化したユニットを構成している。電源回路部３２及び受信部用基板８３は、電源ケース３５を介して収容部２３の天板部２６に取り付けられている。これにより、電源回路部３２及び受信部用基板８３と器具本体２１のとの間で電気的絶縁性を確保できる。また、電源ケース３５を用いて電源回路部３２及び受信部用基板８３をユニット化することによって電源部３１及び受信部８１を器具本体２１に同時に取り付けることができ、取付作業が容易になる。また、電源ケース３５を用いて電源回路部３２及び受信部用基板８３を一体化してユニットにする作業と該ユニットを器具本体２１に取り付ける作業との分業化も可能となる。また、電源ケース３５には、電源回路配置部３６の照射面側を覆う、平面視において略円弧状の絶縁性の電源回路カバーを取り付けてもよい。絶縁性の電源回路カバーを設けることによって、電源回路と非絶縁性の電源カバー６１との間に絶縁距離を設ける必要が無く、照明器具を薄型化することができる。
【００３２】
受信部配置部３７は、電源回路配置部３６に配置された略円弧形状の電源回路部３２の内周縁近傍に設けられている。受信部配置部３７は、電源回路配置部３６の照射面側に所定寸法の高さを有して立設されており、受信部用基板８３が収容部２３を覆う電源カバー６１の頂部付近に配置されるように形成されている。すなわち、受信部用基板８３と電源回路部３２の電源基板とは、上下方向に所定間隔離間して配置される。
【００３３】
電源基板３３は、平面視略円弧状で凹状に切り欠いた凹部３３ａを有する(図７参照)。受信部用基板８３は、電源基板３３を平面視したときの凹部３３ａ内に配置される。これにより、受信部用基板８３と電源基板３３とを接続する配線を極力短くすることができる。また、受信部用基板８３は、電源基板３３に上下方向において重ならない位置に配置される。また、受信部用基板８３の面積は、凹部３３ａで形成される空間の表面積（平面視における面積）よりも小さく、かつ受信部用基板８３の形状は、電源基板３３の凹部３３ａに収まる形状にしている。これにより、基板を切り出す基板素材（元基板）において効率的に電源基板３３及び受信部用基板８３を切り出すことができ、基板素材の捨てる部分が少なくなる。なお、電源基板３３は実装面に電気部品が実装されているが、図７においては電源基板３３の構成を明瞭に図示するために、後述するコネクタ３２１のみを図示し、他の電気部品の図示は省略した。
【００３４】
電源カバー６１は、電源部３１と接続部７１の照射面側の少なくとも一部を覆う部材である。本実施形態では、電源カバー６１は、受信部８１及び接続部７１の照射面側の一部も覆っている。電源カバー６１は、光源部４１が取り付けられる部材である。電源カバー６１は、器具本体２１が有する収容部２３の照射面側に取り付けられる。また、電源カバー６１の内部には、アダプタ等の配線部品を取り付けるための接続部７１が取り付けられる。電源カバー６１は、開口部６２、内周縁部６３、光源配置部６４、外周縁部６５、周壁部６６、及び鍔部６７を有している。電源カバー６１は、照射面側の頂部に光源配置部６４を有する。
【００３５】
開口部６２は、接続部７１が露出する円形の開口部分である。開口部６２は、電源カバー６１の径方向中心となる位置に設けられている。
【００３６】
内周縁部６３は、開口部６２の周縁部分であり、平面視において円環状である。内周縁部６３の内周近傍部は、接続部７１の他端（下端）が固定部材２２により取り付けられる部分である。内周縁部６３の内周近傍部には、接続部７１の他端を固定部材２２により取り付けるためのネジ孔が設けられている。内周縁部６３の外周近傍部には、ＬＥＤ光源モジュール４４と電源部３１とを電気的に接続する配線５０を挿通するための複数（本実施形態では、４つ）の挿通孔６３ａが形成されている。複数の挿通孔６３ａは、内周縁部６３の周方向に略均等配置されている。内周縁部６３には、受信部８１が有する受光部８２に対応する位置に受光窓６３ｂが設けられている。内周縁部６３には、該受光窓６３ｂに連通する、チャンネル切替スイッチ８４の一端を露出するための貫通孔６３ｃが設けられている。受光窓６３ｂ及び貫通孔６３ｃは、平面視において略Ｌ字状の開口となっている。
【００３７】
光源配置部６４は、光源部４１が配置される部分である。光源配置部６４は、平面視において略円環状であり、平坦面を底面とする凹部である。光源配置部６４の平坦面の裏面は、取付面側に突出する突出面である。光源配置部６４は、ＬＥＤ光源モジュール４４の基板４３の外形の少なくとも一部に合わせて形成されており、該ＬＥＤ光源モジュール４４を光源配置部６４内に配置可能である。光源配置部６４は、内周縁部６３の径方向外側に設けられている。
【００３８】
光源配置部６４は、内周縁部６３の外周側の周囲に略円環状に配置されている。光源配置部６４は、複数（本実施形態では４つ）のＬＥＤ光源モジュール４４が所定位置に嵌合可能であり、光源配置部６４が有する平坦面にＬＥＤ光源モジュール４４を当接して取り付けられる。光源配置部６４には、図５に示すように係合部６４ａ及び係合凸部６４ｂが形成されている。係合部６４ａは、ＬＥＤ光源モジュール４４の基板４３が有する被係合凸部４３ｃの少なくとも一部が挿入可能な形状に形成される部分であり、該被係合凸部４３ｃが係合される部分である。係合凸部６４ｂは、ＬＥＤ光源モジュール４４の基板４３が有する被係合凹部４３ｄの形状に合わせて形成される部分であり、該被係合凹部４３ｄが係合される部分である。光源配置部６４は、光源部４１で発生した熱を伝えて外部に放出する放熱部としても機能させるため、光源部４１が取り付けられる光源配置部６４は、その底部となる部分が光源部４１との接触面積が広くなるよう平坦に形成されている。
【００３９】
また、光源配置部６４の内周側の両端近傍には、ＬＥＤ光源モジュール４４の基板４３が有する嵌合凸部４３ｅが嵌合する嵌合部６４ｃが設けられている。該嵌合部６４ｃ近傍には、配線保持部材６９を挿通するための挿通孔６９ａが設けられている。
【００４０】
外周縁部６５は、光源配置部６４の径方向外側に設けられている。外周縁部６５には、保護カバー９１が有する爪部９５を嵌合するための複数（本実施形態では、８つ）の貫通孔６８が設けられている。
【００４１】
周壁部６６は、外周縁部６５の外周縁から下方に行くに従って拡径されるテーパ状の部分である。
【００４２】
鍔部６７は、周壁部６６の下端の外周縁から径方向外側に突出する円環状の部分である。鍔部６７は、電源カバー６１を器具本体２１に取り付けた際に、器具本体２１に当接する部分である。鍔部６７には、複数（本実施形態では、４つ）の固定部が設けられており、ネジなどの固定部材により器具本体２１に取り付けられる。
【００４３】
図４に示すように、電源カバー６１の取付面側には、電源部３１と各ＬＥＤ光源モジュール４４とを接続する配線５０を保持する配線保持部材６９を有する。本実施形態の配線保持部材６９は、内周縁部６３の周方向に略均等配置された配線５０を引き出す複数（本実施形態では、４箇所）の挿通孔６３ａの間に設けられている。配線保持部材６９により、配線５０を保持することで、電源カバー６１内で配線５０が変位しなくなるため電源回路部３２等に触れにくい。また、予め電源カバー６１の内壁に配線を保持するのでハンドリング性が良く、作業性が向上する。
【００４４】
電源カバー６１は、電源部３１及び接続部７１が取り付けられた器具本体２１の収容部２３を覆うとともに、電源部３１及び接続部７１の他端側（下端側）を電源カバー６１内に収容し、鍔部６７が器具本体２１に当接されて取り付けられる。電源カバー６１が収容部２３の照射面側に取り付けられることで、電源カバー６１と収容部２３により扁平な空間が形成され、該空間に電源部３１、接続部７１、及び受信部８１等を収容するための高さ及び幅が確保されている。
【００４５】
本実施形態の電源カバー６１は、全体的にシンメトリックな略円形状にプレス加工により作製されている。このようにプレス加工で作製することで、板金に対して均等に圧力がかかりやすく、成形精度を高めることができる。
また、電源カバー６１は、光源部４１、接続部７１、及び保護カバー９１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具本体２１は、耐久性、強度及び放熱性が高い材料であれば、先述した金属材料に限らず、その他の合金材料や樹脂等の他の材料で形成することができる。
【００４６】
光源部４１は、照明器具１１の照射面側に向けて光を出射する部分である。光源部４１は、複数のＬＥＤ素子４２を有し、光源配置部６４の照射面側の表面上に配置される平板状のものである。具体的には、光源部４１は、複数（本実施形態では、４枚）のＬＥＤ光源モジュール４４を有しており、各ＬＥＤ光源モジュール４４は、平板状モジュール基板である基板４３上に複数の点光源であるＬＥＤ素子４２が実装されて構成されている。複数のＬＥＤ素子４２は、電源カバー６１の開口部６２を中心として略同心円状に略等間隔で配置されている。ＬＥＤ光源モジュール４４は、器具本体２１が有するセード保持部２９よりも照射面側の位置に配意される。これにより、透光性カバー５１にセード保持部２９の影が出にくい。
【００４７】
ＬＥＤ光源モジュール４４が有する基板４３は、図６に示すように、平面視において所定幅を有する略円弧状に形成されている。ＬＥＤ光源モジュール４４の基板４３は、全て同一形状及び同一面積とすることにより、作製が容易となるため、好ましい。基板４３は、円周方向の両端部において、径方向に沿って形成された端部４３ａを有する。各ＬＥＤ光源モジュール４４は、円周方向の端部４３ａ同士を対向させて光源配置部６４に配置される。また、各ＬＥＤ光源モジュール４４間を機械的に接続する接続部品により接続して複数のＬＥＤ光源モジュール４４を一つのユニットにすることもできる。略円弧状の複数（本実施形態では、４つ）のＬＥＤ光源モジュール４４を、端部４３ａ同士を対向させて光源配置部６４に配置することにより、略円環状を成した光源部４１を形成することができる。基板４３の端部４３ａには、光源配置部６４が有する係合凸部６４ｂに係合される被係合凹部４３ｄが設けられている。基板４３の外周端部４３ｂには、光源配置部６４が有する係合部６４ａに係合される被係合凸部４３ｃが設けられている。基板４３の内周側の両端近傍には、光源配置部６４が有する嵌合部６４ｃに係合される嵌合凸部４３ｅが設けられている。ＬＥＤ光源モジュール４４は、基板４３が有する被係合凸部４３ｃ及び被係合凹部４３ｄを、光源配置部６４が有する係合部６４ａ及び係合凸部６４ｂに係合させることで、光源配置部６４において位置決めされて配置される。すなわち、ＬＥＤ光源モジュール４４は、位置合わせ用に電源カバー６１の光源配置部６４に設けられた係合形状部分（係合部６４ａ及び係合凸部６４ｂ）と対応するように被係合凸部４３ｃ及び被係合凹部４３ｄを有する。また、ＬＥＤ光源モジュール４４は、基板４３が有する嵌合凸部４３ｅを、光源配置部６４が有する嵌合部６４ｃに嵌合させることで、光源配置部６４において所定の位置に配置される。各ＬＥＤ光源モジュール４４は、各々に対応する配線５０によって電源部３１と電気的に接続されている。各ＬＥＤ光源モジュール４４は、基板４３の実装面の裏面が各光源配置部６４の光源配置部６４に当接して固定されるため、各ＬＥＤ光源モジュール４４が発熱した際には、ＬＥＤ光源モジュール４４の熱が電源カバー６１や器具本体２１に伝わる。電源カバー６１に伝わった熱は、電源カバー６１の温度よりも周辺温度が低い場合、電源カバー６１周辺の空気へ伝わる。これにより、電源カバー６１に伝わった熱は、電源カバー６１の周囲に放熱される。
なお、各ＬＥＤ光源モジュール４４は、熱伝導性シート（図示せず）や放熱グリスを介して光源配置部６４に取り付けてもよく、これにより、より高い放熱性を得ることができる。
また、本実施形態では、光源として発光素子の一例である表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
【００４８】
透光性カバー５１は、器具本体２１及び電源カバー６１の照射面側を覆うように器具本体２１に取り付けられ、光源部４１からの光を反射及び拡散させつつ、外部へ配光する部材である。透光性カバー５１は、セード等を含む。透光性カバー５１は、透光性を有する樹脂素材で形成されている。透光性カバー５１の全体形状は、平面形状が円形であり、下面側に緩やかにドーム状に膨らんでいる。透光性カバー５１は、透光性カバー５１の内部の清掃や器具本体２１の部品交換等のために器具本体２１に対して着脱できる構造となっている。透光性カバー５１の上面側の開口縁部には、透光性カバー５１を器具本体２１が有するセード保持部２９に取り付けるための被保持部（図示せず）が形成されている。なお、本実施形態における透光性カバー５１の形状は一例であって、ドーム状の他、円筒状や角筒状などにすることもできる。
【００４９】
器具本体２１には、透光性カバー５１の被保持部を保持するための取付金具であるセード保持部２９が設けられている。詳細は省略するが、透光性カバー５１を器具本体２１の取り付け位置に配置して透光性カバー５１の周方向の一方に回動させると、透光性カバー５１の被保持部が器具本体２１のセード保持部２９に保持されて透光性カバー５１が器具本体２１に取り付けられる。また、透光性カバー５１が器具本体２１に取り付けられた状態で透光性カバー５１を周方向の他方に回動させると、透光性カバー５１の被保持部が器具本体２１のセード保持部２９から外れて、透光性カバー５１を器具本体２１から取り外すことができる。
【００５０】
接続部７１は、引掛シーリングアダプタ等の配線部品を取り付ける部分である。図９に示すように、接続部７１は、電源カバー６１が有する開口部６２より大径の円筒部７２と、該円筒部７２の一端側（上端側）の外周縁に径方向外側に延出される鍔部７３を有している。該鍔部７３には、接続部７１の一端（上端）をネジなどの固定部材により器具本体２１に取り付けるための固定孔部７５が設けられている。鍔部７３の取付面側には、器具本体２１が有する貫通孔２５ｃに嵌合する複数（本実施形態では、３つ）の爪部７４が上方に突出して設けられている。爪部７４は、器具本体２１が有する貫通孔２５ｃに嵌合可能である。また、鍔部７３の所定位置には、固定部材２２により器具本体２１の第１ネジ固定部２５ｄに固定するための固定孔部７５が設けられている。接続部７１は、爪部７４を貫通孔２５ｃに嵌合するとともに、固定部材２２により器具本体２１が有する周縁部２５に取り付けられる。円筒部７２の他端側（下端側）の外周縁には、ネジなどの固定部材により接続部７１、電源カバー６１及び保護カバー９１を共締めするための固定孔部が設けられている。接続部７１は、器具本体２１の収容部２３と、電源カバー６１との間に挟まれるように固定される。
【００５１】
円筒部７２には、電源部３１から延出されるコネクタ３４を挿通するための挿通孔７２ａが形成されている。照明器具１１を天井に取り付ける場合は、照明器具用の天井配線器具（引掛シーリングボディ）に引掛シーリングアダプタ等の配線部品を取付け、器具本体２１が有する取付孔２４に配線部品を差し込むとともに、該配線部品を接続部７１内に嵌合する。
【００５２】
受信部８１は、リモコン（図示せず）からの無線信号（本実施形態では赤外線による信号）を受信する部分である。受信部８１は、受光部８２が実装された受信部用基板８３を有している。受信部用基板８３は、電源ケース３５が有する受信部配置部３７に配置される。受信部用基板８３には、チャンネル切替スイッチ８４が実装されている。受信部８１は、平面視において開口部６２の近傍に配置される。受信部用基板８３が有する受光部８２は、電源カバ―６１が有する受光窓６３ｂに近接して配置されている。受信部用基板８３は、受信部配置部３７が有する係止部３９により係止されることで、受信部配置部３７に保持される。受信部８１が有する受光部８２は、電源カバ―６１が有する受光窓６３ｂから露出するように配置される。受信部８１は、電源回路部３２に電気的に接続される。受光部８２は、使用者によって操作されるリモコンから送信される無線信号を伝送媒体としたリモコン信号を受信することができる。リモコンにより受光部８２に所定の信号を送信することで使用者はＬＥＤ光源モジュール４４（ＬＥＤ素子４２）の点灯、消灯、調光等を遠隔操作できる。受信部用基板８３は、受信部配置部３７に配置された状態で器具本体２１の収容部２３内に配置される。受光部８２とチャンネル切替スイッチ８４を実装した受信部用基板８３は、平面視において、略円弧状の電源回路部３２の内周縁側に配置される。
また、本実施形態ではリモコン信号を受信する受信部８１を設けたが、これに限らず、その他のセンサ制御方法を採用してもよい。また、無線信号による制御ではなく、有線での制御でもよく、その場合には受信部を設けなくてもよい。
【００５３】
保護カバー９１は、電源カバー６１と透光性カバー５１との間において、光源部４１を覆う部材である。保護カバー９１は、光源部４１と透光性カバー５１との間に配置される。保護カバー９１は、透光性を有しており、例えば透光性を有する樹脂素材で形成されている。保護カバー９１は、平面視において略円環状の部材であって、図１１に示すように、内周縁部９２、光源カバー部９３、外周鍔部９４、爪部９５を有している。
【００５４】
内周縁部９２は、電源カバー６１の中央に配置される略円環状の平坦な部分である。内周縁部９２には、ネジなどの固定部材９９により保護カバー９１、電源カバー６１及び接続部７１を共締めするためのネジ固定部９６が設けられている。内周縁部９２には、受信部８１が有する受光部８２に対応する位置（受光部８２の照射面側）に受信部８１が配置された位置を示す受信部位置目印となる凸状部９２ａと、該凸状部９２ａに隣接して形成されるチャンネル切替スイッチ８４の先端部を挿通するための挿通孔９２ｂを有している。挿通孔９２ｂの近傍において、照射面側の表面にチャンネル切替スイッチ８４のチャンネル番号を示す凹状の刻印部９２ｃ（図２、図１１参照）が設けられている。保護カバー９１を電源カバー６１に取り付けた場合、保護カバー９１の内周縁部９２は、電源カバー６１の内周縁部６３の照射面側に当接もしくはほとんど隙間を有しない状態で近接する（図１０参照）。
なお、受信部位置目印となる凸状部９２ａをレンズ部として構成することもできる。該レンズ部により、リモコンから送信された所定の信号（例えば、赤外線）を受光して電源カバー６１内に配置された受光部８２により導光しやすくなる。
【００５５】
光源カバー部９３は、照射面側に凸状である。具体的には、光源カバー部９３は、内周縁部９２の径方向外側に連続して形成され、光源部４１に対して所定の隙間を有するように照射面側に向かって膨らむ形状の凸状の部分である。光源カバー部９３は、径方向内側に向けて延設される配線カバー部９３ａを有している。配線カバー部９３ａは、電源カバー６１が有する挿通孔６３ａと、該挿通孔６３ａから延出される配線５０と、該配線５０が各ＬＥＤ光源モジュール４４に接続される部分とを覆う部分である。光源カバー部９３の外周近傍と、配線カバー部９３ａを除く光源カバー部９３の内周近傍とは、保護カバー９１を電源カバー６１に取り付けた際に、ＬＥＤ光源モジュール４４の基板４３の外周端部及び内周端部に当接する。すなわち、ＬＥＤ光源モジュール４４の基板４３の外周端部及び内周端部は、電源カバー６１の光源配置部６４と光源カバー部９３とにより挟まれて固定される。つまり、各ＬＥＤ光源モジュール４４は、保護カバー９１を電源カバー６１に取り付けることでネジやビス等の固定部材（取付部材）を用いずに電源カバー６１上に固定される。
【００５６】
光源カバー部９３は、外周縁側の傾斜面において、周方向に沿った長孔状の複数（本実施形態では、８箇所）の貫通孔９７が設けられている。貫通孔９７は、虫抜き用の孔として機能する。貫通孔９７は、外周鍔部９４が有する爪部９５の間に配置されている。
なお、本実施形態では、貫通孔９７を光源カバー部９３の外周縁側に設けているが、特に限定するものではなく、光源カバー部９３の内周縁側に設けることもできる。
また、貫通孔９７は、ＬＥＤ光源モジュール４４が有するＬＥＤ素子４２の配光角の外側となる位置に設けられる。貫通孔９７を配光角の外側に設けることによって、貫通孔９７の影が出にくい。
また、光源カバー部９３の外周縁側にＬＥＤ素子４２からの光を拡散する加工を施した拡散加工部分を有することもできる。これにより、光源カバー部９３の外周縁側の傾斜部による影が発生することを防止する。なお、拡散加工は、光源カバー部９３において外周縁側にのみ施しても良いし、全体に施しても良い。
【００５７】
外周鍔部９４は、光源カバー部９３の周囲に連続して形成される平坦な部分である。外周鍔部９４には、電源カバー６１に設けられた貫通孔６８に嵌合するための複数（本実施形態では、８つ）の鉤状の爪部９５が形成されている。本実施形態の爪部９５は、１つのＬＥＤ光源モジュール４４に対して２箇所ずつ設けられている。爪部９５は、中途部を折り返したＵ字形状で貫通孔６８の端部を挟持することができる。保護カバー９１は、電源カバー６１における内周縁部６３、光源配置部６４、及び外周縁部６５をほぼ覆うことができる。
【００５８】
保護カバー９１は、該保護カバー９１の外周縁部に設けられた爪部９５と、電源カバー６１に設けられた貫通孔６８とを嵌合して固定し、かつ保護カバー９１の内周縁部において電源カバー６１と接続部７１とともに複数のネジなどの固定部材を用いて共締めすることで取り付けられる。このように、爪部９５と貫通孔６８による嵌合固定と、固定部材による固定を組み合わせることによって、部品点数を削減し、製造コストの低減が図れる。また、保護カバー９１、電源カバー６１、接続部７１を共締めすることにより、ネジやビス等の固定部材の使用量が減り、部品点数を削減し、製造コストの低減が図れる。また、保護カバー９１おいて外周縁側を爪部９５と貫通孔６８により嵌合固定し、内周縁側を固定部材により固定するため、照明器具１１の組立作業の際に、固定部材による固定箇所が電源カバー６１の中央付近に集まっており、電源カバー６１を回転等の位置変更しなくても固定作業が可能となり作業性が良い。
また、保護カバー９１は、全体的にシンメトリックな凹凸形状を有するように形成されている。全体的にシンメトリックな凹凸形状を有するように形成するため、保護カバー９１を製造する樹脂成形において樹脂材料が均一に金型内に充填されやすく、成形性がよい。
【００５９】
以上説明した本実施形態に係る照明器具１１では、電源部３１が器具本体２１の収容部２３内に収容され、電源部３１（電源ケース３５）に設けられた爪部２０を器具本体２１（収容部２３の天板部２６）に設けられた貫通孔２６ａに嵌合して固定するとともに、電源部３１（電源ケース３５）の１箇所をネジやビス等の固定部材２２を用いて器具本体２１（収容部２３の天板部２６）の第２ネジ固定部２６ｂに固定している。また、接続部７１が器具本体２１の収容部２３内に収容され、接続部７１に設けられた爪部７４を器具本体２１（収容部２３）に設けられた貫通孔２５ｃに嵌合して固定するとともに、接続部７１の１箇所をネジやビス等の固定部材２２を用いて器具本体２１（収容部２３）に固定している。このように電源部３１及び接続部７１をそれぞれ器具本体２１に取り付ける際には、各固定部材２２による固定位置（取付位置）である第１ネジ固定部２５ｄ及び第２ネジ固定部２６ｂは作業者から見て左右の一方側に偏在している。このように器具本体２１に取り付ける電源部３１と接続部７１の各々が、爪部と貫通孔により嵌合して器具本体２１に固定されることで作業時のガタツキを防止し、ネジやビス等による固定部材を用いた固定箇所を最小限（本実施形態では、１箇所）にすることが可能となる。ネジやビス等の部品点数を削減することによって、製造コストの低減や組み立て工数を低減することができる。また、固定部材の固定位置（本実施形態では、第１ネジ固定部２５ｄ及び第２ネジ固定部２６ｂ）を作業者から見て左右の一方側に偏在させることによって、固定部材の固定の作業性が向上する。例えば、右利きの作業者であれば、器具本体２１に向かって右側に固定部材の固定位置が偏在していれば、利き手側に固定部材の固定位置があるので作業がしやすい。
【００６０】
また、照明器具１１では、ＬＥＤ光源モジュール４４の基板４３が電源カバー６１の光源配置部６４と光源カバー部９３とにより挟まれて固定される。つまり、各ＬＥＤ光源モジュール４４は、保護カバー９１を電源カバー６１に取り付けることでネジやビス等の固定部材を用いずに電源カバー６１上に固定される。これにより、ネジやビス等の固定部材を用いずに固定できるため、部品点数を削減でき、ＬＥＤ光源モジュール４４に対して固定部材締結によるストレスが少ない。また、ネジやビス等の固定部材を用いずに固定することによって、組み立て工数を低減することができる。さらに、ＬＥＤ光源モジュール４４の基板４３にネジやビス等の固定部材の締結孔を設けないため、基板の小型化や基板内におけるＬＥＤ素子の配置自由度が向上する。
【００６１】
また、照明器具１１では、電源カバー６１の光源配置部６４にＬＥＤ光源モジュール４４の基板４３の形状に合わせた係合部６４ａ及び係合凸部６４ｂが形成されており、該係合部６４ａ及び係合凸部６４ｂが光源配置部６４の被係合凸部４３ｃ及び部被係合凹部４３ｄに係合することでＬＥＤ光源モジュール４４が容易に電源カバー６１上の適正位置に配置することができる。
【００６２】
また、照明器具１１では、所定の幅を有する略円弧状の複数のＬＥＤ光源モジュール４４により、略円弧状の光源部４１を形成する。このように、複数のＬＥＤ光源モジュール４４を略円環状に組み合わせる構成とすることで、１つの板状の基板素材から切り取って複数の基板４３を作製する際に、該基板４３を基板素材上に並べて配置することが可能であり、円環状の基板を基板素材から切り取るよりも廃棄する部分が少なく製造歩留まりが良くなるため、製造コストが抑えられる。また、このように構成することで、ハンドリング性も良く、作業効率が向上する。
【００６３】
また、照明器具１１では、受信部位置目印となる凸状部９２ａとチャンネル切替位置を示す刻印部９２ｃが保護カバー９１表面に設けられている。凸状部９２ａや刻印部９２ｃを保護カバー９１表面に設けることによって、受信部８１の照射面側を覆う受信部用のカバーやチャンネル切替の表示を別途設けなくてもよく、部品点数を削減できる。なお、本実施形態では刻印部９２ｃを凹状に形成したが、これに限らず凸状に形成しても良い。
【００６４】
また、照明器具１１では、光源カバー部９３の外周縁側の傾斜面に、貫通孔９７を有している。貫通孔９７を設けることによって、虫や埃等を容易に除去できるとともに、空気の対流により保護カバー９１内外間の通気性が良くなり、放熱性が向上する。
【００６５】
また、照明器具１１では、内周縁部６３に、受信部８１が有する受光部８２に対応する位置に受光窓６３ｂと、チャンネル切替スイッチ８４の一端を露出するための貫通孔６３ｃが設けられている。照明器具１１の中央部付近に受光窓６３ｂを設けることによって、照明器具１１の照射面側（床側）からの送信されるリモコン信号の受光感度のムラを低減することができる。また、受信部８１等を覆うカバー部材を別途要さず、部品点数が削減できる。
【００６６】
また、照明器具１１では、電源部３１と接続部７１が収容部２３の照射面側に取り付けられ、光源部４１が電源カバー６１照射面側に配置されて収容部２３に取り付けられる。このように構成することにより、照明器具２１の組立工程において、器具本体２１の収容部２３に電源部３１と接続部７１を取り付ける工程と、電源カバー６１に光源部４１を取り付ける工程とに分業化することができるため、組立工程の効率化が図れる。
【００６７】
上記の照明器具１１の形態は一例であり、上記の形態に限定されるものではない。例えば、照明器具１１は丸型としたが、角型やその他の形状としてもよい。また、シーリングライトの他、ペンダントライト等に適用してもよい。
【００６８】
上記の器具本体２１の形状は一例であり、本実施形態の形状に限定されるものではない。例えば、照明器具１１の形状が丸型以外の角型やその他の形状である場合には、それに応じた形状とすることができる。また、器具本体２１の形状は、電源部３１の形状に応じて適宜変形させることも可能である。
【００６９】
次に、照明器具１１の回路構成について詳しく説明する。なお、以下に説明する回路構成は本実施形態の照明器具１１の構造以外でも広く照明器具であれば適用することができ、汎用性がある。
【００７０】
図１２は、電源回路部３２と光源部４１との接続を説明する回路図である。図１２では説明の便宜上、４つのＬＥＤ光源モジュール４４を、それぞれ第１モジュール４４１、第２モジュール４４２、第３モジュール４４３、第４モジュール４４４とする。図１２では、第１〜第３モジュール４４１〜４４３は同じ仕様のモジュールが用いられ、第４モジュール４４４は第１〜第３モジュール４４１〜４４３と同じ仕様のモジュールに保安灯用ＬＥＤ素子４４５が追加された仕様となっている。保安灯用ＬＥＤ素子４４５は、例えばＬＥＤ素子４２の相関色温度よりも低い相関色温度の光を出射可能なＬＥＤ素子である。
【００７１】
なお、複数色のＬＥＤ素子を搭載して調色制御が可能なＬＥＤ光源モジュールを用いる場合は、複数色のＬＥＤ素子のうち一色のＬＥＤ素子（例えば相関色温度が低いＬＥＤ素子）を低照度に調光することで保安灯と同じ機能を実現できるので、保安灯４４５は不要とすることができる。この場合、第１〜第４モジュールには全て同じ仕様のモジュールを用いることができる。また、第１モジュール４４１、第２モジュール４４２、第３モジュール４４３、および第４モジュール４４４は、発光要素の一例である。
【００７２】
図１２に示すように、外部商用電源がコネクタ３４を介して電源回路部３２（電源基板３３）に接続されている。また、電源回路部３２には第１〜第４モジュール４４１〜４４４と個別に電気的に接続するためのコネクタ３２１が設けられている。なお、コネクタ３２１は、本実施形態では１つのコネクタとしたが、各モジュール４４１〜４４４を接続するそれぞれ別体のコネクタであってもよい。
【００７３】
コネクタ３２１内には端子として１１本のピンＰ１〜Ｐ１１が並んでいる。ピンＰ１〜Ｐ８は第１〜第４モジュール４４１〜４４４のＬＥＤ素子４２用の端子であり、ピンＰ２とピンＰ３、ピンＰ４とピンＰ５、ピンＰ６とピンＰ７がそれぞれ短絡され、ピンＰ１とピンＰ８が電源（図示せず）に接続されることで直列回路を構成している。ピンＰ９は沿面距離確保用であり、電源基板３３には電気的に接続されていない。ピンＰ１０、Ｐ１１は保安灯用ＬＥＤ素子４４５用の端子であり、電源に接続されている。
【００７４】
ピンＰ１、Ｐ２には第１モジュール４４１のＬＥＤ素子４２が接続されている。ピンＰ３、Ｐ４には第２モジュール４４２のＬＥＤ素子４２が接続されている。ピンＰ５、Ｐ６には第３モジュール４４３のＬＥＤ素子４２が接続されている。ピンＰ７、Ｐ８には第４モジュール４４４のＬＥＤ素子４２が接続されている。ピンＰ１０、Ｐ１１には第４モジュール４４４の保安灯用ＬＥＤ素子４４５が接続されている。ピンＰ９は沿面距離を確保するためにモジュールは接続されていない。
【００７５】
このように、第１〜第３モジュール４４１〜４４３及び第４モジュール４４４のＬＥＤ素子４２は、各モジュールがコネクタ３２１に接続されることにより、直列接続される。ＬＥＤ素子４２が直列接続されることにより、１つのモジュールが断線故障すると全てのモジュールに電流が流れなくなるので、並列接続の場合に必要となる過電流保護回路は不要である。よって、各モジュール４４１〜４４４を直列接続することにより、並列接続するよりも回路の構成が簡単になり、電源回路部３２の小型化及びコスト低下に繋がる。また、直列接続した場合は並列接続した場合よりも順方向電圧（ＶＦ）が高くなるため変換効率がよい。
【００７６】
また、４つのモジュール（第１〜第３モジュール４４１〜４４３、第４モジュール４４４のＬＥＤ素子４２）の接続順は任意である。すなわち、各モジュールとコネクタ３２１の端子（ピンＰ１〜Ｐ８）との組み合わせが変わったとしても、点灯状態は変わらない。したがって、組み立て作業時には、作業者はモジュールの配線とコネクタ３２１の端子との接続の組み合わせを意識する必要がない。その結果、組み立て作業時間を短縮することができ、作業効率がよい。さらに、誤接続の可能性もなくなる。また、各モジュールはそれぞれ電源回路部３２へ接続する構成であるため、少なくとも保安灯を除いて共通のモジュールを使用できるので、部品管理が容易となる。
【００７７】
図１２は一例であり、電源回路部３２は、各ＬＥＤ光源モジュール４４と個別に電気的に接続され、各ＬＥＤ光源モジュール４４を直列接続して給電する構成であればよい。「各ＬＥＤ光源モジュール４４と個別に電気的に接続される」とは、例えば図１２に示したように、コネクタ３２１に第１〜第４モジュール４４１〜４４４からの各配線５０（配線５０の端部に設けられたコネクタ）が接続される形態である。これ以外にも、コネクタ３２１を用いずに直接各配線５０を半田付け等によって電源基板３３に接続する形態などであってもよい。
【００７８】
「各ＬＥＤ光源モジュール４４を直列接続する」とは、例えば図１２に示したように、コネクタ３２１の端子同士が直列接続される形態である。これ以外にも、電源回路部３２内で直列接続されていればよく、コネクタ３２１部分以外で直列に接続されるようにしてもよい。例えば、電源基板３３上のコネクタ３２１から離れた位置で直列接続されるように電源基板３３上の配線を配置してもよい。
【００７９】
なお、図１２では４つのモジュール４４１〜４４４を用いたが、モジュールの数に限定はなく、複数の発光モジュールを用いる形態であればよい。
【００８０】
上記の実施形態ではＬＥＤ光源モジュール４４を直列接続する形態を例に説明したが、発光要素を直列接続する形態であればよい。発光要素は光源になり得るものであれば特に限定はなく、発光素子であってもよいし、発光素子を含む発光モジュールであってもよい。
【符号の説明】
【００８１】
１１  照明器具
２１  器具本体
３１  電源部
３２  電源回路部
４１  光源部
４２  ＬＥＤ素子
４４  ＬＥＤ光源モジュール（発光要素）
６１  電源カバー
７１  接続部
３２１  コネクタ
【図１】
0006502061.tif 000002
【図２】
0006502061.tif 000003
【図３】
0006502061.tif 000004
【図４】
0006502061.tif 000005
【図５】
0006502061.tif 000006
【図６】
0006502061.tif 000007
【図７】
0006502061.tif 000008
【図８】
0006502061.tif 000009
【図９】
0006502061.tif 000010
【図１０】
0006502061.tif 000011
【図１１】
0006502061.tif 000012
【図１２】
0006502061.tif 000013